(57)【特許請求の範囲】
【請求項１】
フェース面とこれを支持するヘッド本体とフェース面の背後に形成されたキャビティとで構成されるヘッドを有するアイアンクラブセットであって、
前記キャビティがヘッド本体に貫通口を形成する第１キャビティと前記貫通口に連成される壁面で形成される第２キャビティとで構成され、
前記フェース面をヘッド本体の周辺で肉厚とされる周縁リブに連なって形成されるリング状の第２キャビティ形成部分で支持し、
前記第１キャビティの中心とフェース面の中心とが合致するとともに、周縁リブの形が番手間で一定とされ、
前記第２キャビティの壁面の形態をクラブ番手に従って変化させ、
セット内で、番手が小さいアイアンクラブ程トウ側の重量が大きくまたヒール側の重量が小さくされ、番手が大きいアイアンクラブになるに従ってトウ側の重量が次第に減少されてヒール側の重量が次第に大きくされるようにしたことを特徴とするアイアンクラブセット。
【請求項２】
フェース面とこれを支持するヘッド本体とフェース面の背後に形成されたキャビティとで構成されるヘッドを有するアイアンクラブセットであって、
前記キャビティがヘッド本体に貫通口を形成する第１キャビティと前記貫通口に連成される壁面で形成される第２キャビティとで構成され、
前記フェース面をヘッド本体の周辺で肉厚とされる周縁リブに連なって形成されるリング状の第２キャビティ形成部分で支持し、
前記第１キャビティの中心とフェース面の中心とが合致するとともに、第２キャビティの壁面形態と周縁リブの形をクラブ番手に従って変化させ、
セット内で、番手が小さいアイアンクラブ程トウ側の重量が大きくまたヒール側の重量が小さくされ、番手が大きいアイアンクラブになるに従ってトウ側の重量が次第に減少されてヒール側の重量が次第に大きくされるようにしたことを特徴とするアイアンクラブセット。
【請求項３】
前記第２キャビティの壁面を、セット内の番手が小さくなるにつれて、トウ側の壁面の肉厚が次第に厚くされてトウ部分の重量が増加され、番手が大きくなるにつれ、ヒール側壁面の肉厚が次第に厚くされてヒール部分の重量が増加されるようにしたことを特徴とする請求項１又は２に記載のアイアンクラブセット。
【発明の詳細な説明】
【０００１】
【発明の属する技術分野】
本発明は、フェース面の背後にキャビティが設けられたアイアンクラブのセット内における番手毎のキャビティの形態を工夫したアイアンクラブセットに関する。
【０００２】
【従来の技術】
アイアンクラブでは、ショットミスを防ぎ打球の方向性を向上させるために、ヘッドが大型化されたものが増加している。この際、ヘッド重量の増加を防止するためにヘッドの背後にキャビティと呼称される凹陥部が設けられ、また打撃面となるフェース面にはチタニウム合金などの低比重高強度の材質が用いられている。而して、従来のキャビティアイアンのヘッドでは、図７の背面図及び図８の断面図に示すように、ヘッド本体１００のほぼ中央部分に円形の貫通口１０１が設けられ、この貫通口１０１の前面に高強度軽量の材質のフェース面１０２がヘッド本体１００に支持されて配置され、このフェース面１０２と前記貫通口１０１とで一つのキャビティ１０３が形成された構造となっている。
【０００３】
【発明が解決しようとする課題】
しかるに、通常、ロングアイアンでは、飛距離重視の仕様とされていてシャフトが長くてヘッドスピードが速くなり、打点がトウ１０４側となった場合にはボールを打撃した衝撃でフェース面１０２が時計回りに回転する大きな歪み（右打ちの場合）を発生し、打球が右に外れて飛びやすくまた打撃エネルギーのロスが大となって飛距離が減少する傾向があった。また、一方ショートアイアンでは、打球の方向性と着地点の正確さが重視されてヘッドを自在に操作する必要から、フェース面１０２のヒール１０５寄りで打撃され易く打球が左に外れて飛び易い傾向がある（右打ちの場合）。
【０００４】
従って、このような傾向を是正するには、トウ１０４側又はヒール１０５側のヘッド重量を増加することで慣性モーメントを大きくして前記のフェース面１０２の歪みを小さくすることが考えられるが、これをヘッド本体１００の重量を最小にする条件の下で行おうとすると、キャビティ１０３特に前記貫通口１０１の位置をトウ１０４側又はヒール１０５側に移動させる必要が出る。しかるに、一方でヘッド本体１００の重量を最小にするためにキャビティ１０３の大きさが最大限に大きく設定されるがために、そのようなキャビティ１０３の移動は、フェース面１０２を支持するヘッド本体１００の内周側の支持幅Ｗを狭くして打撃時のフェース面１０２の耐久性やヘッド本体１００の耐久性を低下させるという問題を引き起こす惧れがある。
【０００５】
さらに、キャビティ１０３の中心とフェース面１０２の中心位置とがずれてアドレスにおいて構え難くなり、ミスショット誘発の懸念が生じる問題も想定される。
【０００６】
従って、このような実状に鑑みて、本発明の目的とするところは、ヘッドの耐久性を維持すると共に、ヘッド重量を最小に止めた上で、クラブセット内の番手の順番に応じてキャビティの形態を変化させて、トウ側又はヒール側に重量を偏重して構え易く打ち易いアイアンクラブセットを提供することである。
【０００７】
【課題を解決するための手段】
上述の目的を達成するため、この発明は、フェース面とこれを支持するヘッド本体とフェース面の背後に形成されたキャビティとで構成されるヘッドを有するアイアンクラブセットであって、前記キャビティがヘッド本体に貫通口を形成する第１キャビティと前記貫通口に連成される壁面で形成される第２キャビティとで構成され、前記フェース面をヘッド本体の周辺で肉厚とされる周縁リブに連なって形成されるリング状の第２キャビティ形成部分で支持し、前記第１キャビティの中心とフェース面の中心とが合致するとともに、周縁リブの形が番手間で一定とされ、前記第２キャビティの壁面の形態をクラブ番手に従って変化させ、セット内で、番手が小さいアイアンクラブ程トウ側の重量が大きくまたヒール側の重量が小さくされ、番手が大きいアイアンクラブになるに従ってトウ側の重量が次第に減少されてヒール側の重量が次第に大きくされるようにしたものである。また、フェース面とこれを支持するヘッド本体とフェース面の背後に形成されたキャビティとで構成されるヘッドを有するアイアンクラブセットであって、前記キャビティがヘッド本体に貫通口を形成する第１キャビティと前記貫通口に連成される壁面で形成される第２キャビティとで構成され、前記フェース面をヘッド本体の周辺で肉厚とされる周縁リブに連なって形成されるリング状の第２キャビティ形成部分で支持し、前記第１キャビティの中心とフェース面の中心とが合致するとともに、第２キャビティの壁面形態と周縁リブの形をクラブ番手に従って変化させ、セット内で、番手が小さいアイアンクラブ程トウ側の重量が大きくまたヒール側の重量が小さくされ、番手が大きいアイアンクラブになるに従ってトウ側の重量が次第に減少されてヒール側の重量が次第に大きくされるようにしたものである。
【０００８】
【発明の実施の形態】
本発明に係るアイアンクラブセットの一実施例を図１ないし図４を参照して説明する。なお、アイアンクラブセットは、＃１〜９及びＰＷ（ピッチングウェッジ）、ＳＷ（サンドウェッジ）の１１本で構成されており、実施例の説明はロングアイアンの代表として５番（＃５）アイアン、ショートアイアンの代表として９番（＃９）アイアン、その中間の番手のクラブとして７番（＃７）アイアンを取り上げて行う。
【０００９】
図１は、本発明に係る＃５アイアンのヘッドの背面図を示す。図において、ヘッド本体１の中央部分に貫通口２が刻設されており、その前面には前記貫通口２を塞いでフェース面３が配置されている。ヘッドの背後には、フェース面３の背面３Ａと前記貫通口２とこの貫通口２に連成される壁面とで形成されるキャビティが設けられている。而して、キャビティは、貫通口２で形成される第１キャビティ４と前記壁面で形成される第２キャビティ５とで構成されている。
【００１０】
フェース面３は、ヘッド本体１の周辺で厚肉とされる周縁リブ６に連なって形成されるリング状の前記壁面（第２キャビティ５形成部分）の内周側部分で支持されている（図２ないし図４参照）。
【００１１】
第１キャビティ４を形成する前記貫通口２の大きさは、ヘッド重量を低減する為に出来るだけ大きく形成するのが良く、一方、打撃時のフェース面３の耐久性から、前記壁面（第２キャビティ５形成部分）がフェース面３を支持する幅が経験的に少なくとも５mm以上は必要とされており、この支持幅Ｗをフェース面３の周縁３Ｂから差し引いて最大限の大きさとなるように形成されている（図３参照）。また、本実施例では、フェース面３に対する前記貫通口２従って第１キャビティ４の位置は、両者の面積中心がほぼ合致するように固定されている。
【００１２】
また、ヘッド本体１の周囲に形成される周縁リブ６の形態（幅）は、アイアンクラブの用法上必要とされる耐久性を考慮してセット内の全クラブで厚く又同幅とされている。而して、前記第２キャビティ５の壁面は、前記第１キャビティ４の周囲にリング状に形成されていて、図１のＡ−Ａ線断面である図２に示す＃５アイアンのように、セット内の番手が小さくなるにつれて、トウ７側の壁面の肉厚が次第に厚くされてトウ７部分の重量が増加され、また図３の＃９アイアンのように、番手が大きくなるにつれ、ヒール８側壁面の肉厚が次第に厚くされてヒール８部分の重量が増加されている。
【００１３】
なお、前記＃５アイアンと＃９アイアンの中間の番手として＃７アイアンの例を図４に示す。この場合は前記壁面（第２キャビティ５形成部分）が前記＃５及び＃９アイアンの中間の形態とされている。本実施例のクラブセットでは、各番手のクラブの形態が前記のように設定されているので、ロングアイアンではトウ７側の重量が増してこの部位の慣性モーメントが大きく、打撃時のフェース面３の時計廻りの歪みを少なくすると共にスウィング時ヘッドを返し易く、打球の右方向（右打ちの場合）への外れが抑制される。また、ショートアイアンではヒール８側の重量が増してこの部位の慣性モーメントが大きく、打撃時のフェース面３の反時計廻りの歪みを小さくして打球の左方向への外れを抑制することに加え、この場合にはシャフト軸からヘッド重心までの距離が短くなってクラブの操作性が向上し各種のアプローチショットがやり易くなる。さらに面積の大きな第１キャビティ４により、ヘッドが軽くなると共に、大きな第１キャビティ４の中心とフェース面３の中心とが合致し、しかもヘッド本体１の周縁リブ６の形が番手間で一定とされていることからアドレス時にボールをフェース面３の中心にセットし易く、ミスショットを防止できる。
【００１４】
次に、他の実施例を図５及び図６で説明する。図５及び図６は図２ないし図４と同じく図１のＡ−Ａ線断面に相当する断面を示すものである。この実施例では、トウ７側又はヒール８側に偏重する為に第２キャビティ５の壁面の形態を変化させるに当たって、ヘッド本体１の周縁リブ６の形態をも変化させるものである。この結果、第２キャビティ５の中心がずれて第２キャビティ５の位置が第１キャビティ４に対し移動される。即ち図５は＃５アイアンの断面図で、トウ７側で周縁リブ６の幅を広げながらトウ７側の重量が増加され、他方ヒール８側では周縁リブ６の幅を狭めながらヒール８側の重量が減少されている。また、図６は＃９アイアンの断面図であって、トウ７側の周縁リブ６の幅を狭くしながらトウ７側の重量が減少され、他方ヒール８側では周縁リブ６の幅を広げながらヒール８側の重量が増加されている。この例ではトウ７側又はヒール８側へのヘッド本体１の重量の偏重がより効果的に行える特徴がある。
【００１５】
【発明の効果】
以上説明したように、本発明によれば、フェース面とこれを支持するヘッド本体とフェース面の背後に形成されたキャビティとで構成されるヘッドを有するアイアンクラブセットであって、前記キャビティがヘッド本体に貫通口を形成する第１キャビティと前記貫通口に連成される壁面で形成される第２キャビティとで構成され、前記フェース面をヘッド本体の周辺で肉厚とされる周縁リブに連なって形成されるリング状の第２キャビティ形成部分で支持し、前記第１キャビティの中心とフェース面の中心とが合致するとともに、周縁リブの形が番手間で一定とされ、前記第２キャビティの壁面の形態をクラブ番手に従って変化させ、セット内で、番手が小さいアイアンクラブ程トウ側の重量が大きくまたヒール側の重量が小さくされ、番手が大きいアイアンクラブになるに従ってトウ側の重量が次第に減少されてヒール側の重量が次第に大きくされるようにしたので、クラブの性能を向上させるためにクラブセット内の番手の順番に応じてキャビティの形態を変化させる場合に、前記第２キャビティのみの形態を変化させることによって、フェース面やヘッド本体の耐久性を損なうことなく、またヘッド重量を最小に維持した上でこれを実施することができる。ヘッド本体即ち第２キャビティの前記壁面で支持されないフェース面の背面を画成する第１キャビティの貫通口を前記耐久性にとって最適の大きさと位置に固定できるからである。従って、トウ又はヒール側へのヘッド重量の移動が実施し易くなる。
【００１６】
また、請求項２に記載するように、フェース面とこれを支持するヘッド本体とフェース面の背後に形成されたキャビティとで構成されるヘッドを有するアイアンクラブセットであって、前記キャビティがヘッド本体に貫通口を形成する第１キャビティと前記貫通口に連成される壁面で形成される第２キャビティとで構成され、前記フェース面をヘッド本体の周辺で肉厚とされる周縁リブに連なって形成されるリング状の第２キャビティ形成部分で支持し、前記第１キャビティの中心とフェース面の中心とが合致するとともに、第２キャビティの壁面形態と周縁リブの形をクラブ番手に従って変化させ、セット内で、番手が小さいアイアンクラブ程トウ側の重量が大きくまたヒール側の重量が小さくされ、番手が大きいアイアンクラブになるに従ってトウ側の重量が次第に減少されてヒール側の重量が次第に大きくされるようにしたので、トウ側又はヒール側へのヘッド本体の重量の偏重がより効果的に行える。さらに、請求項１、２に係る発明はともに、クラブセット内で番手が小さく（ロングアイアン側）なるにつれて、トウ側の重量を大きくし、ヒール側の重量を小さくするようになっているので、ロングアイアンではトウ側の重量が増加してこの部位の慣性モーメントが増大し打撃時のフェース面の前記歪みが防止され、しかもスウィング時ヘッドが返り易くなってトウ側に外れた打点であっても打球が大きく右方向に（右打ちの場合）外れることがない。また一方、番手の大きなショートアイアンの場合では、ヒール側の重量が大きくされ、したがって、この部位の慣性モーメントが増大されることから、たとえ打点がヒール寄りであっても打球が左方向に大きく外れることがない。
【００１７】
さらに、請求項１、２に記載するように、第１キャビティの中心をフェース面の中心と合致させた場合には、前記の作用、効果に加えて、アドレス時にキャビティの形状に惑わされることなくフェース面の中央にボールをセットして構え易くなり、ミスショットが防止される。また、フェース面が中央で均等に前記壁面で支持されることからフェース面及びヘッド本体自体の耐久性が向上する。
【図面の簡単な説明】
【図１】本発明の実施例を示すヘッドの背面図。
【図２】図１のＡ−Ａ線断面であり＃５アイアンを示す図。
【図３】図１のＡ−Ａ線断面であり＃９アイアンを示す図。
【図４】図１のＡ−Ａ線断面であり＃７アイアンを示す図。
【図５】他の実施例を示す＃５アイアンの断面図。
【図６】＃９アイアンの断面図。
【図７】従来例を示すヘッドの背面図。
【図８】図７のＢ−Ｂ線断面図。
【符号の説明】
１  ヘッド本体
２  貫通口
３  フェース面
４  第１キャビティ
５  第２キャビティ
６  周縁リブ
７  トウ
８  ヒール
【図１】
0004190063.tif 000002
【図２】
0004190063.tif 000003
【図３】
0004190063.tif 000004
【図４】
0004190063.tif 000005
【図５】
0004190063.tif 000006
【図６】
0004190063.tif 000007
【図７】
0004190063.tif 000008
【図８】
0004190063.tif 000009